(57)【特許請求の範囲】
【請求項１】
建材と、この建材が取り付けられる建材取付体と、これらの建材と建材取付体とのうちの一方に形成された溝にスライド自在に係合し、前記建材を前記建材取付体に取り付ける取付具とを含んで構成される建材の取付構造において、
前記取付具は、前記建材と前記建材取付体とのうちの他方に固定される取付具本体と、前記一方の側の構成部材とで構成され、
この構成部材は、頭部付きボルトで形成されたねじ軸と、このねじ軸が挿入されて前記頭部が係止される中間部材と、前記頭部を覆っている摩擦部材とを有し、
前記溝に、この溝の底壁に弾性的に摩擦接触する前記摩擦部材と、前記ねじ軸の前記頭部と、前記中間部材とが挿入され、前記溝から突出する前記ねじ軸は前記取付具本体の孔に挿入され、この孔から突出する前記ねじ軸の先部にナットが螺合されることを特徴とする建材の取付構造。
【請求項２】
請求項１に記載の建材の取付構造において、前記溝には、この溝の開口部の幅寸法よりも大きい大開口部が形成され、前記中間部材の寸法よりも大きい寸法となっているこの大開口部から、前記溝に、前記摩擦部材と、前記ねじ軸の前記頭部と、前記中間部材とが挿入可能となっていることを特徴とする建材の取付構造。
【請求項３】
請求項１または２に記載の建材の取付構造において、前記建材は集合住宅のベランダを各戸ごとの専用区域に仕切る間仕切りパネルであり、前記建材取付体は前記集合住宅の住宅本体であり、前記溝は前記間仕切りパネルに形成されていることを特徴とする建材の取付構造。
【請求項４】
建材と建材取付体とのうちの一方に形成された溝にスライド自在に係合し、前記建材を前記建材取付体に取り付けるための建材の取付具において、
前記建材と前記建材取付体とのうちの他方に固定される取付具本体と、前記一方の側の構成部材とで構成され、
この構成部材は、頭部付きボルトで形成されたねじ軸と、このねじ軸が挿入されて前記頭部が係止される中間部材と、前記頭部を覆っている摩擦部材とを有し、
前記摩擦部材と前記ねじ軸の前記頭部と前記中間部材は前記溝に挿入されるとともに、前記摩擦部材は前記溝の底壁に弾性的に摩擦接触し、前記溝から突出する前記ねじ軸は前記取付具本体の孔に挿入され、この孔から突出する前記ねじ軸の先部にナットが螺合されることを特徴とする建材の取付具。
【請求項５】
請求項４に記載の建材の取付具において、前記摩擦部材は前記中間部材に固着された板ばねであることを特徴とする建材の取付具。
【請求項６】
請求項５に記載の建材の取付具において、前記ねじ軸は、前記中間部材に形成された孔に挿入されて前記頭部がこの中間部材に係止されることを特徴とする建材の取付具。
【請求項７】
請求項５に記載の建材の取付具において、前記ねじ軸は、前記中間部材に形成された切り欠き部に挿入されて前記頭部がこの中間部材に係止されることを特徴とする建材の取付具。
【請求項８】
請求項５に記載の建材の取付具において、前記ねじ軸は、前記板ばねと前記中間部材とに形成された孔に挿入されて前記頭部が前記中間部材に係止されることを特徴とする建材の取付具。
【発明の詳細な説明】
【０００１】
【発明の属する技術分野】
本発明は、建材を建材取付体に取り付けるための構造、およびその取付具に係り、例えば、集合住宅のベランダを各戸ごとに仕切るための間仕切りパネルを住宅本体に取り付けるため、あるいは、建物の手摺りの支柱同士の間に配置されるパネルを支柱に取り付けるため等に利用できるものである。
【０００２】
【背景技術】
集合住宅のベランダは各戸の並設方向に長く連続して形成され、このため、このベランダには、各戸ごとに専用区域を仕切るための建材としての間仕切りパネルが配置される。この間仕切りパネルは、住宅本体に取付具を介して取り付けられ、この取付具は、従来、取付具本体と、間仕切りパネルに上下方向に形成された溝に頭部がスライド自在に挿入されたボルトとからなる。
【０００３】
間仕切りパネルを取付具で住宅本体に取り付ける作業は、先ず取付具本体を住宅本体に結合し、次いで間仕切りパネルの溝にボルトの頭部を挿入した後、間仕切りパネルの持ち運びによってこのボルトを取付具本体に近づけてボルトの軸部を取付具本体の孔に挿入し、孔から突出したボルトの軸部にナットを螺合して締め付け、取付本体とボルトとを結合することにより行われていた。
【０００４】
【発明が解決しようとする課題】
この従来のベランダ用間仕切りパネルの取付構造によると、ボルトの頭部が挿入される間仕切りパネルの溝は上下方向に延びているため、住宅本体に結合した取付具本体に間仕切りパネルの持ち運びによってボルトの軸部を近づける際、ボルトが溝に沿って落下してその位置が変わってしまい、このため、ボルトの軸部を取付具本体の孔に挿入する作業を所定通り行うことが難しく、例えば、間仕切りパネルを持ち運ぶ作業者が指でボルトを溝の所定位置に押さえながら間仕切りパネルを取付具本体に近づける作業を行わなければならず、作業に多くの手間と時間がかかっていた。
【０００５】
このような問題は集合住宅のベランダ用間仕切りパネルに限らず、一般的な建材の取り付けのために溝に沿って移動自在となっているボルト等の取付部材を使用した場合にも生じ、また、この溝が上下方向に延びているのではなく、例えば水平方向に延びている場合にもボルト等の取付部材の位置は変動可能であるため、同様な問題が生ずることになる。
【０００６】
また、取付具が例えば取付具本体とボルトという複数の部材からなるのではなく、それ自身１個の部品からなり、この取付具の一部が建材またはこの建材が取り付けられる建材取付体に形成された溝にスライド自在に係合されている場合にも、取付具の位置は溝に沿って移動可能であるため、建材取付体への建材の取付作業は面倒なものとなる。
【０００７】
本発明の目的は、溝にスライド自在に挿入されている部材または部分を有している取付具を使用しても、ベランダ用間仕切りパネル等の建材を集合住宅本体等の建材取付体に簡単、確実に取り付けることができるようになる建材の取付構造およびその取付具を提供するところにある。
【０００８】
【課題を解決するための手段】
本発明に係る建材の取付構造は、建材と、この建材が取り付けられる建材取付体と、これらの建材と建材取付体とのうちの少なくとも一方に形成された溝にスライド自在に係合し、建材を前記建材取付体に取り付ける取付具とを含んで構成される建材の取付構造において、取付具が摩擦部材で溝に摩擦接触していることを特徴とするものである。
【０００９】
この建材の取付構造によると、取付具は摩擦部材で溝に摩擦接触するため、取付具を摩擦に抗しながら溝に沿って自由に移動させて位置調整できるとともに、この位置調整後は取付具がその位置から移動するのを防止できるようになる。このため、取付具を介して建材を建材取付体に取り付けるとき、取付具を一定位置に仮止め状態で止めておくことができ、これにより、取付作業の簡単化、容易化を達成できる。
【００１０】
取付具がスライド自在に係合する溝は、建材に形成されていてもよく、建材取付体に形成されていてもよい。また、溝が建材と建材取付体の両方に形成され、取付具がこれらの溝にスライド自在に係合するものである場合にも、本発明は適用可能である。
【００１１】
また、溝は上下方向に延びるものでもよく、水平方向に延びるものでもよく、さらには、斜め方向に延びるものでもよい。
【００１２】
溝が上下方向に延びるものである場合には、水平方向や斜め方向に延びる溝よりも取付具はそれ自身の重量で落下してしまうおそれが大きい。このため、本発明は、上下方向に延びる溝に取付具がスライド自在に係合するものである場合に、特に効果を発揮する。
【００１３】
本発明に係る建材の取付具は、建材と建材取付体のうちの少なくとも一方に形成された溝にスライド自在に係合し、建材を建材取付体に取り付けるための建材の取付具において、溝に摩擦接触する摩擦部材を備えていることを特徴とするものである。
【００１４】
この建材の取付具によると、溝に摩擦接触する摩擦部材を備えているため、取付具を摩擦に抗しながら溝に沿って自由に移動させて取付具の配置位置を調整することができるとともに、この調整後の取付具は溝に仮止め状態となるため、建材の建材取付体への取り付け時に取付具が溝に沿って移動してしまうのを防止でき、このため、建材の取付作業を容易、確実に行えるようになる。
【００１５】
この取付具を使用して行う建材の取付作業は、溝が建材に形成されている場合でも、建材取付体に形成されている場合でも、これらの両方に形成されている場合でも行え、また、その溝の延設方向は上下方向でもよく、前後や左右の水平方向でもよく、斜めの方向でもよい。さらに、溝は直線的に延びるものでもよく、直線的以外に延びるもの、例えば湾曲的に延びるものでもよい。
【００１６】
また、前記摩擦部材は取付具を溝に摩擦接触させることができるものであれば任意であり、例えば、取付具の溝に挿入される端部に板ばねを設け、この板ばねを摩擦部材としてもよく、あるいは、取付具の溝に挿入される端部にゴムを設け、このゴムを摩擦部材としてもよい。
【００１７】
また、取付具はそれ自身１個の部品からなり、その一部分が溝にスライド自在に係合するものであってもよく、あるいは、複数の部材からなり、これらのうちの１個または複数個の部材が溝にスライド自在に係合するものとなっていてもよい。
【００１８】
後者の取付具の一例は、取付具本体と、この取付具本体に形成された孔に挿入され、ナットが螺合されることにより取付具本体に結合されるねじ軸とを含んで構成され、このねじ軸の溝に挿入される端部に前記摩擦部材が設けられているものである。
【００１９】
この例におけるねじ軸は頭部付きのボルトでもよく、頭部なしのボルト、すなわち単なるねじ棒でもよい。また摩擦部材を前記板ばねとするときは、この板ばねを頭部付きのボルトまたは頭部なしのボルトに溶接等で直接固着してもよく、板ばねを座板等の中間部材に取り付け、この中間部材を頭部付きのボルトまたは頭部なしのボルトに溶接等で固着することにより、板ばねを頭部付きのボルトまたは頭部なしのボルトに間接的に取り付けてもよい。摩擦部材を前記ゴムとするときも同様である。
【００２０】
以上説明した本発明に係る建材の取付構造および取付具は、任意な建材を任意な建材取付体に取り付けるときに適用でき、その一例は、集合住宅のベランダ用間仕切りパネルを住宅本体に取り付けるときであり、ここでいう住宅本体とは、ベランダが突設されている住宅の外壁でもよく、ベランダの腰壁や床等のベランダ構成部またはこれの構成部材でもよく、これらの外壁と、ベランダの腰壁や床等のベランダ構成部またはこれの構成部材との両方でもよい。
【００２１】
これ以外に本発明に係る建材の取付構造および取付具は、例えば、手摺りの支柱の間にパネルを支柱に取り付けて配置する場合にも適用することができ、この場合には、パネルが建材となり、支柱が建材取付体となる。また、本発明に係る建材の取付構造および取付具は、建物の敷地やその境界部に立設されるフェンスの支柱の間にパネルを支柱に取り付けて配置する場合にも適用することができ、この場合にも、パネルが建材となり、支柱が建材取付体となる。
【００２２】
また、本発明に係る建材の取付構造および取付具は、室内に立設される例えばトイレブース用等の間仕切りパネルを建物躯体に取り付ける場合や、車庫等の建物付属物の構成部材をその建物付属物の構造材に取り付ける場合にも適用でき、その用途は任意である。
【００２３】
【発明の実施の形態】
以下に本発明の一実施形態を図面に基づいて説明する。図１は、本実施形態に係る建材の取付構造および取付具が適用されている集合住宅の一部破断の全体斜視図で、図２は、図１で示されているベランダ用間仕切りパネルの部分を示す側断面図である。
【００２４】
図１に示す通り、集合住宅１は階段２を備えていて１階部分１Ａと２階部分１Ｂからなる２階建てであり、それぞれの階には外壁３からベランダ４が突設され、これらのベランダ４はそれぞれの階における各戸の並設方向に連続的に延びている。外壁３とベランダ４の腰壁４Ａとの間には、ベランダ４を各戸ごとの専用区域に区画する間仕切りパネル５が配置され、これらの間仕切りパネル５の両側部は、集合住宅１の住宅本体を構成している外壁３とベランダ４の腰壁４Ａに取り付けられている。
【００２５】
図２で示すように、間仕切りパネル５は、上下方向に延びる左右２本の縦材６と、左右方向に延びる上下および中間の３本の横材７と、これらの縦材６と横材７で囲まれる空間を遮断し、この部分を目隠ししている珪酸カルシウム製またはプラスチック製または木製または金属製の板材８を含んで構成されている。図２のIII−III線断面図である図３に示す通り、それぞれの縦材６の裏側には押さえ部材９が配置され、これらの押さえ部材９を貫通するとともに板材８の端部をも貫通したビス１０が縦材６の背面部６Ａにねじ込まれることにより、板材８は縦材６に押さえ部材９で押さえられながら取り付けられている。
【００２６】
それぞれの縦材６は同一断面形状が連続する押し出し成形品であり、背面部６Ａと対面する正面部６Ｂには溝１１が形成され、この溝１１は、図２に示されているように、縦材６の全長に亘って上下方向に延設されている。溝１１には、本実施形態における建材である間仕切りパネル５を本実施形態における建材取付体である外壁３、ベランダ４の腰壁４Ａに取り付けるための取付具１２の間仕切りパネル側構成部材がスライド自在に係合している。
【００２７】
この取付具１２の詳細は、図３のIV−IV線断面図である図４と、図４のV矢視図である図５と、図５の分解斜視図である図６とに示されている。取付具１２は、取付具本体１３と、ねじ軸１４と、座板１５と、板ばね１６とで構成されており、これらのうち、ねじ軸１４と、座板１５と、板ばね１６とで取付具１２の上記間仕切りパネル側構成部材１７が構成され、図７は、この間仕切りパネル側構成部材１７だけを示している。
【００２８】
図６で示すように、取付具１２の集合住宅側構成部材である取付具本体１３は板材を平面Ｌ字状に折曲したもので、集合住宅１の外壁３に当てがわれてビス１８で外壁３に結合される第１面部１３Ａと、縦材６の正面部６Ｂに当てがわれ、左右方向に長い長孔１９が形成された第２面部１３Ｂとからなる。また、間仕切りパネル側構成部材１７のねじ軸１４は、図７で示すように、頭部１４Ａ付きボルトで形成されており、ボルト軸部１４Ｂが板ばね１６が固着される前の座板１５に形成されている孔に挿入され、この後、頭部１４Ａが座板１５に溶接で結合されている。板ばね１６は、座板１５に溶接で固着された平坦部１６Ａと、この平坦部１６Ａの一端から延びる湾曲部１６Ｂとからなり、この湾曲部１６Ｂはねじ軸１４の頭部１４Ａを覆っている。
【００２９】
縦材６の溝１１は、図６から分かるように、正面部６Ｂから後方へ延びる左右一対の側壁１１Ａと、これらの側壁１１Ａの後端間をつなぐ後壁１１Ｂとで形成された正面が開口している溝となっており、また、縦材６の正面部６Ｂには、溝１１の前面左右から互いに近づく方向に延びた一対のリップ部２０が形成され、これらのリップ部２０により溝１１の正面開口部１１Ｃの幅は小さくなっている。そして、座板１５の左右寸法は溝１１の開口部１１Ｃの幅寸法よりも大きく、また、溝１１の深さ寸法は、頭部１４Ａ付きボルトによるねじ軸１４のその頭部１４Ａの厚さと、座板１５の厚さとの合計寸法よりも大きく、かつ、これらの寸法と、座板１５からの板ばね１６の湾曲部１６Ｂの自然離間寸法との合計寸法よりも小さい。また、溝１１の開口部１１Ｃの幅寸法は、ねじ軸１４の直径よりも大きい。
【００３０】
図６で示す通り、縦材６のリップ部２０は縦材６の全長に亘って連続しているものにはなっておらず、リップ部２０が切除された部分があり、この部分は開口部１１Ｃよりも幅寸法が大きな溝１１の大開口部２１となっている。この大開口部２１の幅寸法は座板１５の左右寸法よりも大きく、また、大開口部２１の縦寸法は座板１５の縦寸法よりも大きく、このため、大開口部２１からねじ軸１４と板ばね１６を備えた座板１５を溝１１に挿入係合できるようになっている。
【００３１】
本実施形態では、図２で示されているように、このような大開口部２１はそれぞれの縦材６の上下部に２個設けられている。
【００３２】
間仕切りパネル５を集合住宅１のベランダ４に取り付ける作業は、次ぎのように行う。
【００３３】
先ず、取付具１２の取付具本体１３を間仕切りパネル５を配置すべき集合住宅１の外壁３、ベランダ４の腰壁４Ａの所定箇所にビス１８で固定する。この固定は、取付具本体１３の第１面部１３Ａを外壁３、ベランダ４の腰壁４Ａに当てがい、第２面部１３Ｂが外壁３、ベランダ４の腰壁４Ａから直角かつ鉛直方向となって突出するように行う。次いで、間仕切りパネル５のそれぞれの縦材６の溝１１に取付具１２の間仕切りパネル側構成部材１７の座板１５を大開口部２１から挿入し、座板１５に設けられているねじ軸１４を溝１１から突出させる。この溝１１への座板１５の挿入作業は、集合住宅１の外壁３、ベランダ４の腰壁４Ａに固定した取付具１２の取付具本体１３の個数と同じ個数の座板１５について行い、本実施形態では、図２で示す通り、取付具本体１３を外壁３に３個、ベランダ４の腰壁４Ａに２個それぞれ固定しているため、間仕切りパネル５の外壁３側の縦材６の溝１１に３個の座板１５を、ベランダ４の腰壁４Ａ側の縦材６の溝１１に２個の座板１５をそれぞれ挿入する。
【００３４】
この挿入を行ったとき、図４で示すように、座板１５に取り付けられている板ばね１６の湾曲部１６Ｂは、溝１１の鉛直方向に延びる底壁１１Ｄに弾性的に接触するため溝１１に対して摩擦接触することになり、この摩擦接触によりねじ軸１４および座板１５は上下方向に延びる溝１１に沿って落下することはない。
【００３５】
この後、作業者は、それぞれの座板１５を、その座板１５のねじ軸１４と組み合わせられることにより取付具１２を構成することになる所定の取付具本体１３と対応する高さ位置まで、ねじ軸１４を摘むことにより溝１１に沿って移動させる。この移動作業を行った後も、それぞれの座板１５は、溝１１に対する摩擦部材になっている板ばね１６によってその高さ位置を維持することになる。
【００３６】
次いで、作業者は間仕切りパネル４を持ち上げて取付具本体１３が固定されている場所まで運び、それぞれの座板１５に突設されているねじ軸１４をそれぞれの取付具本体１３の長孔１９に挿入し、長孔１９から突出したねじ軸１４の先部に図６で示した座金２２を挿入してナット２３を螺合し、ナット２３を締め付ける。これにより、間仕切りパネル５の縦材６は取付具本体１３と座板１５とで挟着され、この結果、間仕切りパネル５は取付具１２を介して外壁３とベランダ４の腰壁４Ａとに取り付けられることになる。
【００３７】
なお、取付具本体１３の長孔１９は左右方向に長いため、ナット２３を締め付ける前の調整によって間仕切りパネル５の配置位置を左右方向の適正位置に変更できる。
【００３８】
以上説明した本実施形態によると、ベランダ用間仕切りパネル５を集合住宅１の外壁３とベランダ４の腰壁４Ａに取り付けるための取付具１２は、外壁３およびベランダ４の腰壁４Ａに固定される取付具本体１３と、間仕切りパネル側構成部材１７とからなり、間仕切りパネル側構成部材１７は、間仕切りパネル５の縦材６に形成された溝１１に挿入される座板１５と、この座板１５に結合一体化されたねじ軸１４と、座板１５に設けられ、この座板１５を溝１１に摩擦接触で止めておくための摩擦部材になっている板ばね１６とからなり、この板ばね１６でねじ軸１４と座板１５を上下方向に延びる溝１１の所定高さ位置に止めておくことができるため、ねじ軸１４と座板１５が溝１１に沿って落下するのを防止できる。このため、取付具本体１３の長孔１９へのねじ軸１４の挿入作業を容易、確実に行えるようになり、取付具１２によって行う外壁３、ベランダ４の腰壁４Ａへの間仕切りパネル５の取付作業を効率的に実施できるようになる。
【００３９】
また、ねじ軸１４は頭部１４Ａ付きのボルトであるため、市販品で安価なボルトをそのまま使用してねじ軸１４を得ることができ、この結果、取付具１２の製作コストを低減化することができる。
【００４０】
なお、間仕切りパネル側構成部材１７のねじ軸１４は、板ばね１６が固着される前の座板１５の孔に挿入されるだけとし、頭部１４Ａを座板１５に溶接等で固着しなくてもよい。
【００４１】
図８は、取付具１２の別実施形態に係る間仕切りパネル側構成部材３７を示す。この間仕切りパネル側構成部材３７も、頭部１４Ａ付きのボルトによるねじ軸１４と、座板１５と、板ばね１６とからなるが、座板１５には切り欠き部１５Ａが形成され、この切り欠き部１５Ａにねじ軸１４が挿入されているとともに、頭部１４Ａでねじ軸１４は座板１５に係止されており、頭部１４Ａは座板１５に溶接等で固着されていない。
【００４２】
この実施形態によっても、前記実施形態と同様に間仕切りパネル５を外壁３、ベランダ４の腰壁４Ａに簡単、確実に取り付ける作業を行えるようになるとともに、予め板ばね１６を固着しておいた座板１５を製作しておき、そして、市販品の頭部１４Ａ付きボルトによるねじ軸１４を切り欠き部１５Ａに挿入するだけで間仕切りパネル側構成部材３７を集合住宅の建築現場で簡単に作ることができるため、板ばね１６付きの座板１５のみを予め多数製作し、これらを集合住宅の建築現場に市販品の頭部付きボルトと共に持ち込むことにより、その建築現場で必要な個数の間仕切りパネル側構成部材３７を容易に準備し、供給できるできるようになる。
【００４３】
図９は、図８の実施形態と同じ効果を得られるようにした間仕切りパネル側構成部材４７を示す。この間仕切りパネル側構成４７も、頭部１４Ａ付きのボルトによるねじ軸１４と、座板１５と、板ばね４６とからなるが、板ばね４６は、図１〜図７までの実施形態および図８の実施形態における板ばね１６よりも幅広である。この座板１５に予め固着された板ばね４６には、ねじ軸１４の頭部１４Ａよりも大きい孔４６Ａが形成されており、この孔４６Ａからねじ軸１４の軸部１４Ｂと頭部１４Ａが集合住宅の建築現場において挿入され、さらに、軸部１４Ｂは座板１５に形成されている孔に挿入され、頭部１４Ａが座板１５に係止される。
【００４４】
図１０は、さらに別実施形態に係る間仕切りパネル側構成部材５７を示す。この間仕切りパネル側構成部材５７は、市販品である頭部１４Ａ付きボルトによるねじ軸１４のその頭部１４Ａにゴム５６を接着剤等で固着したものである。頭部１４Ａの厚さと、弾性部材であって圧縮変形可能なゴム５６の厚さとの合計寸法を間仕切りパネル５の縦材６の溝１１の深さ寸法よりも大きくしておくことにより、頭部１４Ａを前記大開口部２１から溝１１に挿入したとき、ゴム５６が溝１１に摩擦接触する摩擦部材になるため、ねじ軸１４が溝１１に沿って落下してしまうのを防止できる。
【００４５】
本発明に係る取付具には、このような実施形態に係る取付具も含まれる。
【００４６】
【発明の効果】
本発明によると、溝にスライド自在に挿入されている部材または部分を有している取付具を使用して行う、集合住宅本体等の建材取付体へのベランダ用間仕切りパネル等の建材の取付作業を簡単、確実に実施できるようになるという効果を得られる。
【図面の簡単な説明】
【図１】本発明に係る取付構造、取付具が適用されている集合住宅の一部破断の斜視図である。
【図２】図１で示されている建材であるベランダ用間仕切りパネルの部分の側断面図である。
【図３】図２のIII−III線断面図である。
【図４】図３のIV−IV線断面図である。
【図５】図４のV矢視図である。
【図６】図５の取付具を分解して示す斜視図である。
【図７】図６で示されている取付具の間仕切りパネル側構成部材を示す斜視図である。
【図８】別実施形態に係る間仕切りパネル側構成部材を示す斜視図である。
【図９】さらに別実施形態に係る間仕切りパネル側構成部材を示す斜視図である。
【図１０】されにまた別実施形態に係る間仕切りパネル側構成部材を示す斜視図である。
【符号の説明】
１  集合住宅
３  建材取付体である集合住宅の外壁
４  ベランダ
４Ａ  建材取付体であるベランダの腰壁
５  建材であるベランダ用間仕切りパネル
６  間仕切りパネルの縦材
１１  溝
１２  取付具
１３  取付具本体
１４  ねじ軸
１５  座板
１６，４６  摩擦部材である板ばね
１７，３７，４７，５７  取付具の間仕切りパネル側構成部材
５６  摩擦部材であるゴム
【図１】
0003652514.tif 000002
【図２】
0003652514.tif 000003
【図３】
0003652514.tif 000004
【図４】
0003652514.tif 000005
【図５】
0003652514.tif 000006
【図６】
0003652514.tif 000007
【図７】
0003652514.tif 000008
【図８】
0003652514.tif 000009
【図９】
0003652514.tif 000010
【図１０】
0003652514.tif 000011